(57)【要約】  本発明の課題は、単一のコンポーネントキャリアを用いた通信、及び複数のコンポーネントキャリアを用いた通信に対応できる無線通信技術を提供することにある。本発明は、複数のキャリアを用いた通信において、各キャリアで異なる信号系列を用い、前記信号系列をリファレンス信号に用いることを特徴とする。
2010116880.tif 000002
【特許請求の範囲】
【請求項１】
複数のキャリアを用いた通信において、各キャリアで異なる信号系列を用い、前記信号系列をリファレンス信号に用いることを特徴とする無線通信システム。
【請求項２】
各キャリアで用いられる信号系列は、キャリア毎に通知される信号系列によって決定されることを特徴とする請求項１に記載の無線通信システム。
【請求項３】
各キャリアで用いられる信号系列は、前記複数のキャリアのいずれか１つのキャリアに通知される信号系列に関する情報よって決定されることを特徴とする請求項１に記載の無線通信システム。
【請求項４】
前記信号系列に関する情報は、各キャリアで用いられる信号系列であることを特徴とする請求項３に記載の無線通信システム。
【請求項５】
前記信号系列に関する情報は、前記複数のキャリアのいずれか１つのキャリアで用いられる信号系列と、この信号系列との差分が示された差分情報とであることを特徴とする請求項３に記載の無線通信システム。
【請求項６】
前記信号系列に関する情報は、前記複数のキャリアのいずれか１つのキャリアで用いられる信号系列であり、
他キャリアで用いられる信号系列を予め定義されたパターンによって導出することを特徴とする請求項３に記載の無線通信システム。
【請求項７】
前記信号系列は、フォーマットによって定義されていることを特徴とする請求項１から請求項６のいずれかに記載の無線通信システム。
【請求項８】
複数のキャリアを用いた通信において、各キャリアで異なる信号系列を用い、前記信号系列をリファレンス信号に用いることを特徴とする基地局。
【請求項９】
各キャリアで用いられる信号系列は、キャリア毎に通知される信号系列によって決定されることを特徴とする請求項８に記載の基地局。
【請求項１０】
各キャリアで用いられる信号系列は、前記複数のキャリアのいずれか１つのキャリアに通知される信号系列に関する情報よって決定されることを特徴とする請求項８に記載の基地局。
【請求項１１】
前記信号系列に関する情報は、各キャリアで用いられる信号系列であることを特徴とする請求項１０に記載の基地局。
【請求項１２】
前記信号系列に関する情報は、前記複数のキャリアのいずれか１つのキャリアで用いられる信号系列と、この信号系列との差分が示された差分情報とであることを特徴とする請求項１０に記載の基地局。
【請求項１３】
前記信号系列に関する情報は、前記複数のキャリアのいずれか１つのキャリアで用いられる信号系列であり、
他キャリアで用いられる信号系列を予め定義されたパターンによって導出することを特徴とする請求項１０に記載の基地局。
【請求項１４】
前記信号系列は、フォーマットによって定義されていることを特徴とする請求項８から請求項１３のいずれかに記載の基地局。
【請求項１５】
複数のキャリアを用いた通信において、各キャリアで異なる信号系列を用い、前記信号系列をリファレンス信号に用いることを特徴とする端末。
【請求項１６】
各キャリアで用いられる信号系列は、キャリア毎に通知される信号系列によって決定されることを特徴とする請求項１５に記載の端末。
【請求項１７】
各キャリアで用いられる信号系列は、前記複数のキャリアのいずれか１つのキャリアに通知される信号系列に関する情報よって決定されることを特徴とする請求項１５に記載の端末。
【請求項１８】
前記信号系列に関する情報は、各キャリアで用いられる信号系列であることを特徴とする請求項１７に記載の端末。
【請求項１９】
前記信号系列に関する情報は、前記複数のキャリアのいずれか１つのキャリアで用いられる信号系列と、この信号系列との差分が示された差分情報とであることを特徴とする請求項１７に記載の端末。
【請求項２０】
前記信号系列に関する情報は、前記複数のキャリアのいずれか１つのキャリアで用いられる信号系列であり、
他キャリアで用いられる信号系列を予め定義されたパターンによって導出することを特徴とする請求項１７に記載の端末。
【請求項２１】
前記信号系列は、フォーマットによって定義されていることを特徴とする請求項１５から請求項２０のいずれかに記載の端末。
【請求項２２】
複数のキャリアを用いた通信において、各キャリアで異なる信号系列を用い、前記信号系列をリファレンス信号に用いることを特徴とする無線通信方法。
【請求項２３】
各キャリアで用いられる信号系列は、キャリア毎に通知される信号系列によって決定されることを特徴とする請求項２２に記載の無線通信方法。
【請求項２４】
各キャリアで用いられる信号系列は、前記複数のキャリアのいずれか１つのキャリアに通知される信号系列に関する情報よって決定されることを特徴とする請求項２２に記載の無線通信方法。
【請求項２５】
前記信号系列に関する情報は、各キャリアで用いられる信号系列であることを特徴とする請求項２４に記載の無線通信方法。
【請求項２６】
前記信号系列に関する情報は、前記複数のキャリアのいずれか１つのキャリアで用いられる信号系列と、この信号系列との差分が示された差分情報とであることを特徴とする請求項２４に記載の無線通信方法。
【請求項２７】
前記信号系列に関する情報は、前記複数のキャリアのいずれか１つのキャリアで用いられる信号系列であり、
他キャリアで用いられる信号系列を予め定義されたパターンによって導出することを特徴とする請求項２４に記載の無線通信方法。
【請求項２８】
前記信号系列は、フォーマットによって定義されていることを特徴とする請求項２２から請求項２７のいずれかに記載の無線通信方法。
【請求項２９】
基地局のプログラムであって、前記プログラムは前記基地局に、複数のキャリアを用いた通信において、各キャリアで異なる信号系列を用い、前記信号系列をリファレンス信号に用いる処理を実行させることを特徴とするプログラム。
【請求項３０】
端末のプログラムであって、前記プログラムは前記端末に、複数のキャリアを用いた通信において、各キャリアで異なる信号系列を用い、前記信号系列をリファレンス信号に用いる処理を実行させることを特徴とするプログラム。
【発明の詳細な説明】
【技術分野】
【０００１】
本発明は、複数のキャリアを用いた無線通信の信号処理に関する。
【背景技術】
【０００２】
3rd Generation Partnership Project(3GPP)での標準化が収束段階にあるLong Term Evolution(LTE)の上りリンクのアクセス方式は、Single Carrier-Frequency Division Multiplexing Access (SC-FDMA)が採用されている (周波数領域でサブキャリアマッピングを行なう送信機構成の場合、Discrete Fourier Transform-Spread-Orthogonal Frequency Division Multiplexing(DFT-S-OFDM)とも呼ばれる) 。その理由として、ピーク対平均電力比 (Peak to Average Power Ratio：PAPR) が小さいために、カバレッジが大きくできることが挙げられる。なお、SC-FDMAのリソースブロック割り当ては、周波数軸上において連続なリソースブロック(Resource Block:RB)のみに制限される。ここで、リソースブロックは複数のサブキャリアから構成され、LTEでは１リソースブロックは１２サブキャリアから構成される。【０００３】
LTE上りリンクのリファレンス信号は、PAPRが小さいという特徴を持つConstant Amplitude Zero Auto-Correlation(CAZAC)系列が採用されている。CAZAC系列は、時間及び周波数両領域において一定振幅でかつ位相差０以外の自己相関値が０となる系列である。時間領域で一定振幅であることからPAPRを小さく抑えられ、かつ周波数領域においても一定振幅であることから周波数領域における伝搬路推定に適する系列である。CAZAC系列の系列数は、その系列長に依存する。例えば、CAZAC系列の１つとして、LTEで採用されている式１で表されるZadoff-Chu系列がある(非特許文献１参照)。
（式１）
2010116880.tif 000003
【０００４】
Zadoff-Chu系列では、系列数が最大となるのは系列長が素数Ｌとなる場合であり、その系列数はL−１となる。LTEではCAZAC系列の系列数を確保するために、素数長のZadoff-Chu系列をサイクリックエクステンションした系列が用いられる。サイクリックエクステンションは、図１に示すようにZadoff-Chu系列をデータ信号のサブキャリア数に合わせて、周波数領域において系列長を拡張する手法である。サイクリックエクステンションを用いることによって、上述のCAZAC系列の性質を大きく損なわずに、多くの系列長を確保することができる。以降では、LTEに用いられるリファレンス信号系列をCAZAC系列と記述する。【０００５】
LTEのスペックでは、系列長の異なるCAZAC系列を含むCAZAC系列グループが３０種類規定されており、各セルで１つのCAZAC系列グループが割り当てられる。なお、１つのCAZAC系列はある１つのCAZAC系列グループにのみ属するため、CAZAC系列グループが異なれば、必ず異なるCAZAC系列を用いることになる。また、CAZAC系列グループがサポートする系列長は現状、LTEの最大帯域幅の２０MHzまでとなっている。
【非特許文献１】B. M. Popovic, “Generalized Chirp-Like Polyphase Sequences with Optimum Correlation Properties,” IEEE Transactions on Information Theory, Vol.38, No.4, pp1406-1409, July 1992.
【発明の開示】
【発明が解決しようとする課題】
【０００６】
現在、３GPPにおいてLTEの次世代システムであるLTE-Advancedの標準化が進められており、LTE-Advancedの最大通信速度として下りリンク１Gbps、上りリンク５００Mbps程度が要求されている。そのため、LTE-Advanced では、LTEの２０MHzよりも広いシステム帯域幅が必要となる。そこで、従来のLTEで用いられていたコンポーネントキャリア(キャリアとも呼ぶ。帯域幅は最大２０MHz)を複数束ねるキャリアアグリゲーションと呼ばれる技術が用いられる。【０００７】
LTE-Advancedでは、LTEと共通の物理チャネル構成を用いることが合意されている。したがって、LTE-Advanced上りリンクの物理チャネル構成は、図１０に示されるように制御信号送信に用いるPhysical Uplink Control Channel(PUCCH)がコンポーネントキャリアの両端に位置する。このため、データ送信に用いるPhysical Uplink Shared Channel(PUSCH)は周波数軸上において不連続なリソースブロックを用いることになる。以上のことから、複数のコンポーネントキャリア(キャリアアグリゲーション)を用いて送信する場合、LTE-Advanced上りリンクのアクセス方式は複数のDFTを用いるN x DFT-S-OFDMを用いる。ここで、Nは束ねるコンポーネントキャリアの数となる。【０００８】
また、キャリアアグリゲーションを行うある１つのコンポーネントキャリア内の上りリンクアクセス方式は、Channel-dependentスケジューリングによるマルチユーザダイバーシチ効果を向上させるため、周波数軸上において不連続なリソースブロックに割り当てができるように拡張される。ここで、Channel-dependentスケジューリングとは、伝搬路が周波数選択性フェージングとなる環境において周波数領域の伝搬路品質が優れた移動局にリソースブロックを割り当てるスケジューリング方法である。つまり、１つのコンポーネントキャリア内では、LTEと同様に１つのDFTを用いるが、周波数軸上において不連続なリソースブロックの割り当てが可能なClustered DFT-S-OFDMを用いる。【０００９】
また、LTE-Advanced基地局は、SC-FDMAのアクセス方式のみに対応しているLTE移動局もサポートすることがLTE-Advancedシステムにおける要求条件として挙げられている。つまり、LTE移動局はLTE-Advanced基地局、LTE基地局のいずれのセル内においても問題なく通信できる必要がある。【００１０】
キャリアアグリゲーションを用いて送信帯域を拡張するシステムにおいて、単一のコンポーネントキャリアを用いて通信する移動局又は基地局にも対応させるために、複数のコンポーネントキャリアで同一のリファレンス信号系列を用いる構成にすると、PAPRが大きくなってしまうという問題が発生してしまう。これは、各コンポーネントキャリアで用いられるリファレンス信号が同一であるため、同一の信号を同相加算する場合が発生してしまうからである。【００１１】
本発明の目的は、単一のコンポーネントキャリアを用いた通信、及び複数のコンポーネントキャリアを用いた通信に対応できる無線通信技術を提供することにある。
【課題を解決するための手段】
【００１２】
上記課題を解決するための本発明は、無線通信システムであって、複数のキャリアを用いた通信において、各キャリアで異なる信号系列を用い、前記信号系列をリファレンス信号に用いることを特徴とする。【００１３】
上記課題を解決するための本発明は、基地局であって、複数のキャリアを用いた通信において、各キャリアで異なる信号系列を用い、前記信号系列をリファレンス信号に用いることを特徴とする。【００１４】
上記課題を解決するための本発明は、端末であって、複数のキャリアを用いた通信において、各キャリアで異なる信号系列を用い、前記信号系列をリファレンス信号に用いることを特徴とする。【００１５】
上記課題を解決するための本発明は、無線通信方法であって、複数のキャリアを用いた通信において、各キャリアで異なる信号系列を用い、前記信号系列をリファレンス信号に用いることを特徴とする。【００１６】
上記課題を解決するための本発明は、基地局のプログラムであって、前記プログラムは前記基地局に、複数のキャリアを用いた通信において、各キャリアで異なる信号系列を用い、前記信号系列をリファレンス信号に用いる処理を実行させることを特徴とする。【００１７】
上記課題を解決するための本発明は、端末のプログラムであって、前記プログラムは前記端末に、複数のキャリアを用いた通信において、各キャリアで異なる信号系列を用い、前記信号系列をリファレンス信号に用いる処理を実行させることを特徴とする。
【発明の効果】
【００１８】
本発明によると、単一のコンポーネントキャリアを用いた通信、及び複数のコンポーネントキャリアを用いた無線通信に対応できる。
【図面の簡単な説明】
【００１９】
【図１】サイクリックエクステンションを説明するための図である。
【図２】本発明の無線通信システムの概略図である。
【図３】実施形態を適用した移動通信システムにおける基地局の主要構成を示すブロック図である。
【図４】実施形態を適用した移動通信システムにおける移動局の主要構成を示すブロック図である。
【図５】実施形態におけるCAZAC系列の送信方法を示す図である。
【図６】実施形態における実施例１におけるリファレンス信号送信に関する制御信号に送信方法を示す図である。
【図７】実施形態における実施例２におけるファレンス信号送信に関する制御信号に送信方法を示す図である。
【図８】実施形態における実施例３におけるファレンス信号送信に関する制御信号に送信方法を示す図である。
【図９】実施形態における実施例４におけるファレンス信号送信に関する制御信号に送信方法を示す図である。
【図１０】LTE-Advancedの物理チャネル構成を示す図である。
【図１１】本発明の効果を説明するための図である。
【図１２】本発明の動作を説明するためのフロー図である。
【発明を実施するための最良の形態】
【００２０】
次に、本発明に係る無線通信システムについて、図面を参照して説明する。【００２１】
本発明に係る最良な実施形態では、上りリンク送信を行うそれぞれのコンポーネントキャリアごとに異なる信号系列を用いることを特徴とする。【００２２】
図２は、本発明の無線通信システムの概略図である。図２に示すように、本発明の無線通信システムは、複数の基地局と複数の移動局（UE: User Equipment）を有する。図２ではそれぞれ２つの基地局と移動局を記載しているがこれに限定されたものではなく、それぞれ少なくとも１つの基地局と移動局が有していればよい。図３は本発明の実施形態における基地局の概略的構成を示すブロック図である。ここでは、キャリアアグリゲーションを行うコンポーネントキャリア数がNである場合の例である。【００２３】
基地局２００は、無線通信部２０１、制御部２０２、サイクリックプレフィックス除去部２０３、IFFT部２０４、サブキャリアデマッピング部２０５、伝搬路推定部２０６、周波数等化部２０７、IDFT部２０８、データ信号復調部２０９、及び制御信号生成部２１０を有する。【００２４】
基地局２００の無線通信部２０１は、移動局からのリファレンス信号およびデータ信号を受信する。無線通信部２０１は、受信したリファレンス信号およびデータ信号をサイクリックプレフィックス除去部２０３に出力する。尚、以下では、主にDemodulationリファレンス信号を想定して説明するが、Soundingリファレンス信号やRACH（Random Access Channel）プリアンブル等、他の信号であっても良い。【００２５】
制御部２０２は、サイクリックプレフィックス除去部２０３、サブキャリアデマッピング部２０５−１〜２０５−N、制御信号生成部２１０をそれぞれ制御する。制御部２０２は、各コンポーネントキャリアで用いるCAZAC系列グループインデックスを制御信号生成部２１０に通知する。【００２６】
サイクリックプレフィックス除去部２０３は、制御部２０２から入力されたサイクリックプレフィックス長などの情報を基にサイクリックプレフィックスを除去し、コンポーネントキャリアの信号ごとにIFFT部２０４−１〜２０４−Nにそれぞれ出力する。【００２７】
IFFT部２０４−１〜２０４−Nは、時間領域の信号を周波数領域の信号に変換し、サブキャリアデマッピング部２０５−１〜２０５−Nにそれぞれ出力する。【００２８】
サブキャリアデマッピング部２０５−１〜２０５−Nは、制御部２０２から入力されたリソース割り当て情報を用いて、サブキャリアマッピングされたサブキャリアを元に戻し、リファレンス信号は伝搬路推定部２０６−１〜２０６−Nに、データ信号は周波数等化部２０７−１〜２０７−Nにそれぞれ出力する。【００２９】
伝搬路推定部２０６−１〜２０６−Nは、受信したリファレンス信号系列に既知のリファレンス信号の共役を乗算する。これにより、伝搬路の周波数応答特性を推定し、推定した伝搬路の周波数応答特性を周波数等化部２０７−１〜２０７−Nに出力する。【００３０】
周波数等化部２０７−１〜２０７−Nは、入力されたデータ信号およびチャネルの周波数応答特性を用いて、伝搬路のフェージングによる振幅変動および位相変動を補償する周波数領域等化を行い、IDFT部２０８−１〜２０８−Nに出力する。【００３１】
IDFT部２０８−１〜２０８−Nは、周波数領域の信号から時間領域の信号に変換し、データ信号復調部２０９−１〜２０９−Nに出力する。【００３２】
データ信号復調部２０９−１〜２０９−Nは、それぞれのコンポーネントキャリアで送信されたデータ信号を復調する。【００３３】
制御信号生成部２１０は、制御部２０２から入力された上りリンクのリファレンス信号に用いるCAZAC系列グループに関する情報およびリソース割り当てに関するリソース割当情報をもとに制御信号を生成する。生成された制御信号は無線通信部２０１を通して移動局に送信される。リソース割当情報には、使用するコンポーネントキャリアの情報、各コンポーネントキャリアでのリソースの割り当てが示された割当情報、各コンポーネントキャリアで用いるCAZAC系列グループインデックスが含まれる。CAZAC系列グループは、CAZAC系列グループ毎に系列長の異なるCAZAC系列が規定されている。即ち、１つのCAZAC系列はある１つのCAZAC系列グループにのみ属する。従って、CAZAC系列グループが異なれば必ず異なるCAZAC系列を用いることになる。このように以下の説明では、LTEのスペックに準拠したCAZAC系列グループを用いる場合について説明するが、使用するCAZAC系列を基地局が移動局に通知する構成であっても、後述するCAZAC系列数生成部３０４の記憶部に予め記憶しておいてもよい。【００３４】
図４は本発明の実施形態における移動局の概略的構成を示すブロック図である。ここでは、キャリアアグリゲーションを行うコンポーネントキャリア数がNである場合の例である。【００３５】
図４において、移動局３００は、無線通信部３０１、制御情報抽出部３０２、制御部３０３、CAZAC系列数生成部３０４、DFT部３０５、サイクリックエクステンション部３０６、データ生成部３０７、DFT部３０８、サブキャリアマッピング部３０９、IFFT部３１０、信号合成部３１１、及びサイクリックプレフィックス付加部３１２を有する。【００３６】
無線通信部３０１は、基地局２００から受信した下り制御信号を制御情報抽出部３０２へ出力する。【００３７】
制御情報抽出部３０２はCAZAC系列グループに関する情報およびリソース割り当てに関する情報を抽出し、制御部３０３に出力する。【００３８】
制御部３０３は、CAZAC系列生成部３０４−１〜３０４−N、データ生成部３０７−１〜３０７−N、サブキャリアマッピング部３０９−１〜３０９−N、サイクリックプレフィックス付加部３１２をそれぞれ制御する。【００３９】
CAZAC系列数生成部３０４−１〜３０４−Nは、制御部３０３から入力されたCAZAC系列グループに関する情報およびリソース割り当てに関する情報に従い、コンポーネントキャリアごとに異なるCAZAC系列グループインデックスを用いてCAZAC系列数を生成し、DFT部３０５−１〜３０５−Nにそれぞれ出力する。CAZAC系列数生成部３０４は、リソース割当情報から、自端末に割り当てられたリソースブロックの数をコンポーネントキャリア毎に知ることができる。LTEの場合、１リソースブロックは１２サブキャリアから構成されるため、あるコンポーネントキャリアに割り当てられたリソースブロックの数がｎであるとすると、データ信号の帯域幅に対応するリファレンス信号の系列長は１２×ｎ＝１２ｎとなる。従って、CAZAC系列数生成部３０４は、制御部３０３から入力されたCAZAC系列グループインデックスで、系列長１２ｎに定義付けられているCAZAC系列数を生成する。例えば、あるコンポーネントキャリアに割り当てられたリソースブロックの数が３であるとして、非特許文献１に示されている系列を用いて説明すると、データ信号のサブキャリア数は１２ｎ、即ち１２×３＝３６となるため、３６の最大素数である系列長L=３１のCAZAC系列を発生させる。このとき、系列数は系列長−１となるので、３１−１＝３０となる。【００４０】
DFT部３０５−１〜３０５−Nは、時間領域の信号から周波数領域の信号に変換し、サイクリックエクステンション部３０６−１〜３０６−Nに出力する。【００４１】
サイクリックエクステンション部３０６−１〜３０６−Nは、CAZAC系列生成部３０４で生成されたCAZAC系列を用いて、データ信号のサブキャリア数に合わせてコンポーネントキャリア毎に拡張したCAZAC系列であるリファレンス信号をサブキャリアマッピング部に３０９−１〜３０９−Nにそれぞれ出力する。データ信号の系列長は、制御部３０３から入力されたリソース割当情報から分かる。例えば、あるコンポーネントキャリアに割り当てられたリソースブロック数ｎが３であるとすると、データ信号のサブキャリア数は上述の通り３６となる。図１にも示されているように、CAZAC系列数生成部３０４で生成された系列数３１のＣＡＺＡＣ系列を用いて３６になるよう拡張される。なお、周波数領域においてサイクリックエクステンションしたCAZAC系列を予めCAZAC信号生成部３０４−１〜３０４−Nの記憶部に記憶しておいてもよい。この場合、DFT部３０５−１〜３０５−N、サイクリックエクステンション部３０６−１〜３０６−Nは必要ない。尚、本説明では、CAZAC系列数をCAZAC系列数生成部３０４、DFT部３０５を介して通知される構成を用いて説明するが、制御部３０３から通知される構成であっても良い。【００４２】
データ信号生成部３０７−１〜３０７−Nは、制御部３０３の制御の下、コンポーネントキャリアごとにデータ生成を行い、それぞれDFT部３０８−１〜３０８−Nに出力する。【００４３】
DFT部３０８−１〜３０８−Nは、時間領域のデータ信号から周波数領域のデータ信号に変換し、サブキャリアマッピング部３０９−１〜３０９−Nに入力する。【００４４】
サブキャリアマッピング部３０９−１〜３０９−Nは、制御部３０３から入力されたリソース割り当てに関する情報を用いて、データ信号およびリファレンス信号をサブキャリアにマッピングし、IFFT部３１０−１〜３１０−Nに出力する。ここで、Clustered DFT-S-OFDMではSC-FDMAと違い、不連続なリソースブロックにも信号をマッピングすることができる。【００４５】
IFFT部３１０−１〜３１０−Nは、周波数領域の信号から時間領域の信号に変換し、信号合成部３１１に出力する。【００４６】
信号合成部３１１は、コンポーネントキャリアごとの生成された信号の合成を行い、合成された信号をサイクリックプレフィックス付加部３１２に出力する。【００４７】
サイクリックプレフィックス付加部３１２は、制御部３０３の制御の下、サイクリックプレフィックスを付加する。その後、無線信号部３０１を通して、生成された信号を基地局に送信する。【００４８】
次に、図５及び図１２を用いて、実施形態に関するCAZAC系列の送信動作について説明する。【００４９】
基地局の制御信号生成部２１０はCAZAC系列グループに関する情報およびリソース割り当てに関するリソース割当情報を制御信号に記して送信する（ステップS１２０１）。【００５０】
サブキャリア数、CAZAC系列、を認識する（ステップS１２０２）。ここでは、基地局から受信した制御情報に、キャリアアグリゲーションでコンポーネントキャリア#１〜#３の３つを使用することが示されていたと認識する。また、リソース割当情報からコンポーネントキャリア#１に連続したリソースブロックが５及び３である不連続リソースブロックグループが２つ割り当てられたことを認識したとする。同様に、コンポーネントキャリア#２に連続したリソースブロックが４、３、及び３である不連続リソースブロックグループが３つ割り当てられ、コンポーネントキャリア#３に連続したリソースブロックが２０である不連続リソースブロックグループが１つ割り当てられたことを認識したとする。また、コンポーネントキャリア#１では#２のCAZAC系列グループインデックス(グループ番号とも呼ぶ)、コンポーネントキャリア#２では#１０のCAZAC系列グループインデックス、コンポーネントキャリア#３では#２５のCAZAC系列グループインデックスと、コンポーネントキャリアごとに異なるCAZAC系列グループインデックスを用いることが通知されたとする。なお、CAZAC系列グループインデックスの設定に関わる制御信号送信方法ついては、下記の実施例で詳しく説明する。【００５１】
具体的には、コンポーネントキャリア#１では、サブキャリア数６０のリソースブロックとサブキャリア数３６のリソースブロックが割り当てられているため、コンポーネントキャリア#１の合計のサブキャリア数は９６となる。したがって、データ信号のサブキャリア数は９６となり、コンポーネントキャリア#１で用いるCAZAC系列グループインデックス#２のグループ中に定義されている系列長９６のCAZAC系列を生成する（ステップS１２０３）。そして、生成されたCAZAC系列であるリファレンス信号を系列長６０と３６の系列に分割（ステップS１２０４）。そして、データ信号と合成して（ステップS１２０５）、同一帯域で送信する（ステップS１２０６）。このとき、データ信号とリファレンス信号は時分割多重(Time Division Multiplexing(TDM))される。【００５２】
同様に、コンポーネントキャリア#２では、サブキャリア数は１０８となるため、コンポーネントキャリア#２で用いるCAZAC系列グループインデックス#１０のグループ中に定義されている系列長１０８のCAZAC系列を生成する（ステップS１２０３）。そして、系列長４８、３６、３６の系列に分割（ステップ１２０４）する。そしてデータ信号と合成して（ステップS１２０５）、同一帯域で送信する（ステップS１２０６）。また、コンポーネントキャリア#３では、コンポーネントキャリア#３では、サブキャリア数は２４０となるため、コンポーネントキャリア#３で用いるCAZAC系列グループインデックス#２５のグループ中に定義されている系列長２４０のCAZAC系列を生成する（ステップS１２０３）。そして、生成されたCAZAC系列であるリファレンス信号を分割する（ステップS１２０４）。しかしながら、コンポーネントキャリア#３では不連続のリソースブロックグループがないので分割せずにデータ信号と合成して（ステップS１２０５）、同一帯域で送信する（ステップS１２０６）。【００５３】
(実施例１)
最良の実施形態における実施例１について以下で説明する。実施例１ではそれぞれのコンポーネントキャリアの制御信号を通して、使用するCAZAC系列グループに関する情報を通知する。例えば、基地局２０の制御信号生成部２１０は、Physical Broadcast Channel(PBCH)で指定されるPhysical Downlink Shared Channel(PDSCH)のリソースブロックで送信される制御信号の中に、使用するCAZAC系列グループインデックスの情報を記す。また、PBCHに使用するCAZAC系列グループインデックスを記してもよい。【００５４】
図６を用いて、実施例１を具体的に説明する。実施例１では、それぞれのコンポーネントキャリアを用いて、CAZAC系列グループインデックスを通知する。つまり、コンポーネントキャリア＃１、＃２、＃３では、CAZAC系列グループインデックスである＃２、＃１０、＃２５をそれぞれ通知することになる。【００５５】
移動局３００の制御情報抽出部３０２は、自局で使用するコンポーネントキャリア＃１〜＃３を認識し、コンポーネントキャリア＃１はCAZAC系列グループインデックス＃２を、コンポーネントキャリア＃２はCAZAC系列グループインデックス＃１０を、コンポーネントキャリア＃３はCAZAC系列グループインデックス＃２５を、各コンポーネントキャリアから抽出して制御部３０３に通知する。【００５６】
実施例１は、すべてのコンポーネントキャリアにおいてLTEとの共通性が高い。したがって、現在のLTEと同様にコンポーネントキャリアごとにCAZAC系列グループを通知するため、LTEの移動局はすべてのコンポーネントキャリアで通信をすることが可能となる。【００５７】
(実施例２)
実施例２について以下で説明する。実施例２では、ある１つのコンポーネントキャリアを通して、使用するCAZAC系列グループに関する情報を通知する。例えば、基地局２００の制御信号生成部２１０は、ある１つのコンポーネントキャリアのPBCHで指定されるPDSCHのリソースブロックで送信される制御信号の中に使用するCAZAC系列グループインデックスを記す。また、PBCHに使用するCAZAC系列グループインデックスを記してもよい。【００５８】
図７を用いて、実施例２を具体的に説明する。ここでは、コンポーネントキャリア＃１で制御情報を送る場合である。したがって、コンポーネントキャリア＃１のPDSCHを通して、コンポーネントキャリア＃１、＃２、＃３において使用するCAZAC系列グループインデックスである＃２、＃１０、＃２５を通知することになる。【００５９】
移動局３００の制御情報抽出部３０２は、自局で使用するコンポーネントキャリア＃１〜＃３を認識し、コンポーネントキャリア＃１はCAZAC系列グループインデックス＃２を、コンポーネントキャリア＃２はCAZAC系列グループインデックス＃１０を、コンポーネントキャリア＃３はCAZAC系列グループインデックス＃２５を、コンポーネントキャリア＃１のPDSCHから抽出して制御部３０３に通知する。【００６０】
実施例２では、キャリアアグリゲーションを行う移動局は、１つのコンポーネントキャリアのPBCHおよび/またはPDSCHを受信すれば、使用するCAZAC系列グループを知ることができるため、電力消費の観点で有利である。なお、LTEの移動局は使用するCAZAC系列グループが通知されるコンポーネントキャリアでは少なくとも通信が可能である。【００６１】
(実施例３)
実施例３について以下で説明する。実施例３では、実施例２と同様にある１つのコンポーネントキャリアを通して、使用するCAZAC系列グループに関する情報を通知する。ただし、実施例２と異なり、１つのコンポーネントキャリアのPBCHで指定されるPDSCHのリソースで送信される制御信号の中にそのコンポーネントキャリアで用いるCAZAC系列グループインデックスおよび他のコンポーネントキャリアで用いるCAZAC系列グループインデックスとの差分が含まれている。また、そのコンポーネントキャリアで用いるCAZAC系列グループインデックスおよびインデックスの差分がPBCHに含まれていても良い。【００６２】
図８を用いて、実施例３を具体的に説明する。ここでは、コンポーネントキャリア＃１で制御信号を送る場合である。したがって、コンポーネントキャリア＃１のPDSCHを通して、コンポーネントキャリア＃１で使用するCAZAC系列グループインデックスである＃２とインデックスの差分である８を通知する。この場合、コンポーネントキャリア＃２、＃３ではそれぞれCAZAC系列グループインデックス＃２＋＃８＝＃１０、＃２＋＃８＋＃８＝＃１８を使用することになる。【００６３】
移動局３００の制御情報抽出部３０２は、自局で使用するコンポーネントキャリア＃１〜＃３を認識し、まず、コンポーネントキャリア＃１はCAZAC系列グループインデックス＃２と、インデックスの差分８をコンポーネントキャリア＃１のPDSCHから抽出する。そして、コンポーネントキャリア＃１で使用するCAZAC系列グループインデックス＃２とのインデックスの差分８から、コンポーネントキャリア＃２はCAZAC系列グループインデックス＃１０を認識する。同様に、コンポーネントキャリア＃２で使用するCAZAC系列グループインデックス＃１０とのインデックスの差分８から、コンポーネントキャリア＃３はCAZAC系列グループインデックス＃１８を認識する。【００６４】
実施例３では、実施例２と同様にキャリアアグリゲーションを行う移動局は１つコンポーネントキャリアのPBCHおよびPDSCHを受信すれば、使用するCAZAC系列グループを知ることができるため、電力消費の観点で有利である。さらに、実施例３ではCAZAC系列に関する制御信号のオーバーヘッドを小さくすることができる。なお、LTEの移動局は使用するCAZAC系列グループが通知されるコンポーネントキャリアでは少なくとも通信が可能である。【００６５】
(実施例４)
実施例４について以下で説明する。実施例４では、実施例２、３と同様にある１つのコンポーネントキャリアを通して、使用するCAZAC系列グループに関する情報を通知する。ただし、実施例２、３と異なり、基地局２００の制御信号生成部２１０は、１つのコンポーネントキャリアのPBCHで指定されるPDSCHのリソースで送信される制御信号の中にそのコンポーネントキャリアで用いるCAZAC系列グループインデックスを記す。また、そのコンポーネントキャリアで用いるCAZAC系列グループインデックスがPBCHに記されも良い。【００６６】
図９を用いて、実施例４を具体的に説明する。ここでは、コンポーネントキャリア＃１で制御信号を送る場合である。したがって、コンポーネントキャリア＃１のPDSCHを通して、コンポーネントキャリア＃１使用するCAZAC系列グループインデックスである＃２を通知する。この場合、コンポーネントキャリア＃２、＃３で使用されるCAZAC系列グループインデックスの変更パターンが予め定義する必要がある。例えば、インデックスの変更数を３０/（コンポーネントキャリア数）と定義すると、コンポーネントキャリア数は３なので、インデックスの変更数は１０となる。したがって、コンポーネントキャリア＃２、＃３ではそれぞれCAZAC系列グループインデックス＃２＋１０＝＃１２、＃２＋１０＋１０＝＃２２と認識することになる。【００６７】
実施例４では、実施例２、３と同様にキャリアアグリゲーションを行う移動局は１つのコンポーネントキャリアのPBCHおよびPDSCHを受信すれば、使用するCAZAC系列グループを知ることができる。そのため、電力消費の観点で有利である。さらに、実施例４では、１つのコンポーネントキャリアのCAZAC系列グループインデックスを送信し、他のコンポーネントキャリアのCAZAC系列グループインデックスは送信しないので、CAZAC系列に関する制御信号のオーバーヘッドを小さくすることができる。なお、LTEの移動局はCAZAC系列グループを通知するコンポーネントキャリアでは少なくとも通信が可能である。【００６８】
（第２の実施形態）
本発明の第２の実施形態では、複数のコンポーネントキャリアを用いて通信できるように移動局に割り当てるが、キャリアアグリゲーションは行わない場合を用いて説明する。【００６９】
第２の実施形態における基地局の概略的構成は、図３に示した第１の実施形態における基地局の概略的構成と同一であるため、説明は省略する。【００７０】
第２の実施形態における移動局の概略的構成は、図４に示した第１の実施形態における基地局の概略的構成とほぼ同一である。相違点は、CAZAC系列生成部３０４、DFT部３０５、サイクリックエクステンション部３０６、データ生成部３０７、ＤＦＴ部３０９、サブキャリアマッピング部３０９、及びＩＦＦＴ部３１０が各コンポーネントキャリアに対して実施していた処理を、使用する１つのコンポーネントキャリアに対して行う点である。【００７１】
尚、使用しないコンポーネントキャリアのリファレンス信号には０を挿入して、第１の実施の形態と同じ処理を実施しても良い。【００７２】
本実施の形態によると、単一のコンポーネントキャリアを用いた通信、及び複数のコンポーネントキャリアを用いた無線通信に対応できる。【００７３】
上記本発明の効果について図１１を用いて説明する。条件は、コンポーネントキャリア数が２、各コンポーネントキャリアのサブキャリア数を６０としている。コンポーネントキャリア内で連続リソース割り当ての場合と不連続リソース割り当て(サブキャリア数２４と３６に分割)の場合についてプロットしている。本発明非適用時は、各コンポーネントキャリアに用いるCAZAC系列グループインデックスは横軸に示す値とし、本発明適用時は、CAZAC系列グループインデックスはそれぞれ横軸に示す値、横軸に示す値+１５としている。図１１から、本発明を適用することにより連続リソース割り当て時に１‐２．５dB、不連続リソース割り当て時に０．５‐１．５dB程度Cubic Metricを低減することができる。ここで、Cubic Metricは振幅の３乗値から計算され、PAPRに相当する指標である。【００７４】
以上の実施例では、３つのコンポーネントキャリアを用いた送信について説明したが、コンポーネントキャリア数が２以上であれば同様な効果がある。【００７５】
以上の実施例では、上りリンクについて説明したが、下りリンクにおいても同様に適用できる。また、LTE‐Advancedに準拠した構成を用いて説明したが、これに限らず、ｉ−Ｂｕｒｓｔ、Ｗｉｍａｘ、ＣＤＭＡ２０００ ３ｘ、ＭＣ−ＨＳＤＰＡ（Ｍｕｌｔｉ  Ｃａｒｒｉｅｒ  Ｈｉｇｈ  Ｓｐｅｅｄ  Ｄｏｗｎｌｉｎｋ  Ｐａｃｋｅｔ  Ａｃｃｅｓｓなど、マルチキャリアを用いるシステムに適用可能である。【００７６】
また、リファレンス信号系列としてCAZAC系列を用いたが、それに限定されるものではなく、M系列、gold系列などであってもよい。【００７７】
また、上述した本発明の基地局及び端末は、上記説明からも明らかなように、ハードウェアで構成することも可能であるが、コンピュータプログラムにより実現することも可能である。このような構成の場合、プログラムメモリに格納されているプログラムで動作するプロセッサによって、上述した実施の形態と同様の機能、動作を実現させる。尚、上述した実施の形態の一部の機能をコンピュータプログラムにより実現することも可能である。【００７８】
本発明によると、単一のコンポーネントキャリアを用いた通信、及び複数のコンポーネントキャリアを用いた無線通信に対応できる。また、複数のコンポーネントキャリアを用いる場合に、コンポーネントキャリア間で同一のCAZAC系列を使うことがないため、リファレンス信号のPAPRを小さくすることができる。【００７９】
上記本発明は複数のコンポーネントキャリアを束ねて使用する移動無線システム一般に適用可能である。【００８０】
（付記１）
複数のキャリアを用いた通信において、各キャリアで異なる信号系列を用い、前記信号系列をリファレンス信号に用いることを特徴とする無線通信システム。【００８１】
（付記２）
各キャリアで用いられる信号系列は、キャリア毎に通知される信号系列によって決定されることを特徴とする付記１に記載の無線通信システム。【００８２】
（付記３）
各キャリアで用いられる信号系列は、前記複数のキャリアのいずれか１つのキャリアに通知される信号系列に関する情報よって決定されることを特徴とする付記１に記載の無線通信システム。【００８３】
（付記４）
前記信号系列に関する情報は、各キャリアで用いられる信号系列であることを特徴とする付記３に記載の無線通信システム。【００８４】
（付記５）
前記信号系列に関する情報は、前記複数のキャリアのいずれか１つのキャリアで用いられる信号系列と、この信号系列との差分が示された差分情報とであることを特徴とする付記３に記載の無線通信システム。【００８５】
（付記６）
前記信号系列に関する情報は、前記複数のキャリアのいずれか１つのキャリアで用いられる信号系列であり、
他キャリアで用いられる信号系列を予め定義されたパターンによって導出することを特徴とする付記３に記載の無線通信システム。【００８６】
（付記７）
前記信号系列は、フォーマットによって定義されていることを特徴とする付記１から付記６のいずれかに記載の無線通信システム。【００８７】
（付記８）
複数のキャリアを用いた通信において、各キャリアで異なる信号系列を用い、前記信号系列をリファレンス信号に用いることを特徴とする基地局。【００８８】
（付記９）
各キャリアで用いられる信号系列は、キャリア毎に通知される信号系列によって決定されることを特徴とする付記８に記載の基地局。【００８９】
（付記１０）
各キャリアで用いられる信号系列は、前記複数のキャリアのいずれか１つのキャリアに通知される信号系列に関する情報よって決定されることを特徴とする付記８に記載の基地局。【００９０】
（付記１１）
前記信号系列に関する情報は、各キャリアで用いられる信号系列であることを特徴とする付記１０に記載の基地局。【００９１】
（付記１２）
前記信号系列に関する情報は、前記複数のキャリアのいずれか１つのキャリアで用いられる信号系列と、この信号系列との差分が示された差分情報とであることを特徴とする付記１０に記載の基地局。【００９２】
（付記１３）
前記信号系列に関する情報は、前記複数のキャリアのいずれか１つのキャリアで用いられる信号系列であり、
他キャリアで用いられる信号系列を予め定義されたパターンによって導出することを特徴とする付記１０に記載の基地局。【００９３】
（付記１４）
前記信号系列は、フォーマットによって定義されていることを特徴とする付記８から付記１３のいずれかに記載の基地局。【００９４】
（付記１５）
複数のキャリアを用いた通信において、各キャリアで異なる信号系列を用い、前記信号系列をリファレンス信号に用いることを特徴とする端末。【００９５】
（付記１６）
各キャリアで用いられる信号系列は、キャリア毎に通知される信号系列によって決定されることを特徴とする付記１５に記載の端末。【００９６】
（付記１７）
各キャリアで用いられる信号系列は、前記複数のキャリアのいずれか１つのキャリアに通知される信号系列に関する情報よって決定されることを特徴とする付記１５に記載の端末。【００９７】
（付記１８）
前記信号系列に関する情報は、各キャリアで用いられる信号系列であることを特徴とする付記１７に記載の端末。【００９８】
（付記１９）
前記信号系列に関する情報は、前記複数のキャリアのいずれか１つのキャリアで用いられる信号系列と、この信号系列との差分が示された差分情報とであることを特徴とする付記１７に記載の端末。【００９９】
（付記２０）
前記信号系列に関する情報は、前記複数のキャリアのいずれか１つのキャリアで用いられる信号系列であり、
他キャリアで用いられる信号系列を予め定義されたパターンによって導出することを特徴とする付記１７に記載の端末。【０１００】
（付記２１）
前記信号系列は、フォーマットによって定義されていることを特徴とする付記１５から付記２０のいずれかに記載の端末。【０１０１】
（付記２２）
複数のキャリアを用いた通信において、各キャリアで異なる信号系列を用い、前記信号系列をリファレンス信号に用いることを特徴とする無線通信方法。【０１０２】
（付記２３）
各キャリアで用いられる信号系列は、キャリア毎に通知される信号系列によって決定されることを特徴とする付記２２に記載の無線通信方法。【０１０３】
（付記２４）
各キャリアで用いられる信号系列は、前記複数のキャリアのいずれか１つのキャリアに通知される信号系列に関する情報よって決定されることを特徴とする付記２２に記載の無線通信方法。【０１０４】
（付記２５）
前記信号系列に関する情報は、各キャリアで用いられる信号系列であることを特徴とする付記２４に記載の無線通信方法。【０１０５】
（付記２６）
前記信号系列に関する情報は、前記複数のキャリアのいずれか１つのキャリアで用いられる信号系列と、この信号系列との差分が示された差分情報とであることを特徴とする付記２４に記載の無線通信方法。【０１０６】
（付記２７）
前記信号系列に関する情報は、前記複数のキャリアのいずれか１つのキャリアで用いられる信号系列であり、
他キャリアで用いられる信号系列を予め定義されたパターンによって導出することを特徴とする付記２４に記載の無線通信方法。【０１０７】
（付記２８）
前記信号系列は、フォーマットによって定義されていることを特徴とする付記２２から付記２７のいずれかに記載の無線通信方法。【０１０８】
（付記２９）
基地局のプログラムであって、前記プログラムは前記基地局に、複数のキャリアを用いた通信において、各キャリアで異なる信号系列を用い、前記信号系列をリファレンス信号に用いる処理を実行させることを特徴とするプログラム。【０１０９】
（付記３０）
端末のプログラムであって、前記プログラムは前記端末に、複数のキャリアを用いた通信において、各キャリアで異なる信号系列を用い、前記信号系列をリファレンス信号に用いる処理を実行させることを特徴とするプログラム。
【符号の説明】
【０１１０】
２００  基地局
２０１  無線通信部
２０２  制御部
２０３  サイクリックプレフィックス除去部
２０４  IFFT部
２０５  サブキャリアデマッピング部
２０６  チャネル推定部
２０７  周波数等化部
２０８  IDFT部
２０９  データ信号復調部
２１０  制御信号生成部
３００  移動局
３０１  無線通信部
３０２  制御情報抽出部
３０３  制御部
３０４  CAZAC系列数生成部
３０５  DFT部
３０６  サイクリックエクステンション部
３０７  データ生成部
３０８  DFT部
３０９  サブキャリアマッピング部
３１０  IFFT部
３１１  信号合成部
３１２  サイクリックプレフィックス付加部
【図１】
2010116880.tif 000004
【図２】
2010116880.tif 000005
【図３】
2010116880.tif 000006
【図４】
2010116880.tif 000007
【図５】
2010116880.tif 000008
【図６】
2010116880.tif 000009
【図７】
2010116880.tif 000010
【図８】
2010116880.tif 000011
【図９】
2010116880.tif 000012
【図１０】
2010116880.tif 000013
【図１１】
2010116880.tif 000014
【図１２】
2010116880.tif 000015
【国際調査報告】
2010116880.tif 000016
2010116880.tif 000017
2010116880.tif 000018
2010116880.tif 000019
2010116880.tif 000020
2010116880.tif 000021
2010116880.tif 000022